(57)【要約】      （修正有）【課題】比較的簡易な構成で前方が下がるようにトレイが傾斜した状態を保持でき、そのための部品点数も少なくて済む機器収納用トレイおよび収納ユニットを提供する。【解決手段】収納ユニット１００は、トレイ部２と、トレイ部２を収容可能なベース１０に対して前後にスライド可能に取り付けられるスライド部材３とを備える。トレイ部は、後方部から立設されたトレイ部側突起部２２を有する。スライド部材は、トレイ部側突起部と対向する位置の前側端部から立設されたスライド部材側突起部３１を有し、トレイ部の底板とスライド部材とを同一平面上に載置した場合に、スライド部材側突起部は、トレイ部側突起部に対して前方に傾斜しており、トレイ部がスライド部材に対して前方が下がるように揺動して、トレイ部側突起部がスライド部材側突起部に接触することによって、トレイ部は、前方が下がるように傾斜した状態に保持される。【選択図】図８
2019087610.tif 000002
【特許請求の範囲】
【請求項１】
少なくとも平板状の底板を有するトレイ部と、
前記トレイ部を収容可能なベースに対して前後にスライド可能に取り付けられるスライド部材と、
前記スライド部材の前側端部と前記トレイ部の後方部とを上下方向に揺動可能に接続する接続部材と、を備え、
前記トレイ部は、後方部の前記接続部材が設けられていない部分に前記後方部から立設されたトレイ部側突起部を有し、
前記スライド部材は、前記トレイ部側突起部と対向する位置の前側端部から立設されたスライド部材側突起部を有し、
前記トレイ部の底板と前記スライド部材とを同一平面上に載置した場合に、前記スライド部材側突起部は、前記トレイ部側突起部に対して前方に傾斜しており、
前記トレイ部が前記スライド部材に対して前方が下がるように揺動して、前記トレイ部側突起部が前記スライド部材側突起部に接触することによって、前記トレイ部は、前方が下がるように傾斜した状態に保持される、機器収納用トレイ。
【請求項２】
前記スライド部材は平板状であって、
前記接続部材は、前記スライド部材の前側端部と前記トレイ部の後側端部とを接続する、
請求項１に記載の機器収納用トレイ。
【請求項３】
前記トレイ部は、前記スライド部材側突起部または前記トレイ部側突起部の少なくともいずれか一方に空間部が設けられ、
前記空間部に他方が挿通され、
前記スライド部材側突起部は、前記トレイ部側突起部の前側に位置する、
請求項１または請求項２に記載の機器収納用トレイ。
【請求項４】
前記トレイ部側突起部は、先端側に前記トレイ部の前側へ向かって屈曲した折り返し部を有する、
請求項１から請求項３のいずれか一項に記載の機器収納用トレイ。
【請求項５】
前記折り返し部は、前記トレイ部の上側を覆う蓋部に設けられた突起を差し込み可能なスリットを有する、
請求項４に記載の機器収納用トレイ。
【請求項６】
請求項１から請求項５のいずれか一項に記載の機器収納用トレイと、
前記機器収納用トレイを収容可能なベースと、
を備え、
前記ベースに対して、前記機器収納用トレイの前記スライド部材が前後にスライド可能に取り付けられている、
収納ユニット。
【発明の詳細な説明】
【技術分野】
【０００１】
本発明は、機器収納用トレイおよび収納ユニットに関する。
【背景技術】
【０００２】
特許文献１には、枠体と枠体に収容されるトレイとによって構成され、枠体の左右側板の内側に枠体から引出可能なレール部材が設けられ、トレイの左右側部をレール部材に設けた長穴に係合させてトレイを前後方向に摺動可能とする引出型シャーシが記載されている。
特許文献２には、可動シャーシが固定シャーシに左右側部のスライドレールを介して取り付けられ、可動シャーシを固定シャーシから引き出し可能としたスプライスユニットのスライド構造が記載されている。
【先行技術文献】
【特許文献】
【０００３】
【特許文献１】特開２００９−１６４２２４号公報
【特許文献２】特開２００８−２２５３１８号公報
【発明の概要】
【発明が解決しようとする課題】
【０００４】
機器収納用トレイは、例えば特許文献１、２に記載されているように、枠体（固定シャーシ）の左右側部の内側に設けられたレール部材（スライドレール）によって前後方向に摺動することで、トレイ（可動シャーシ）を引出し可能なスライド構造となっている。
このような機器収納用トレイは、引出した状態で機器の収納やメンテナンスなどの作業がし易いように、トレイを所定の角度で前方が下がるように傾斜させた状態で保持する機構が左右側部のスライドレールに設けられている。
ところが、左右側部のスライドレールに前後方向へのスライド構造と上下方向への揺動機構および揺動機構を固定して保持する機構が必要であり、比較的複雑な機構となり部品点数も多くなるおそれがある。
【０００５】
本発明は、比較的簡易な構成により前方が下がるようにトレイが傾斜した状態を保持することができ、そのための部品点数も少なくて済む機器収納用トレイおよび収納ユニットを提供することを目的とする。
【課題を解決するための手段】
【０００６】
本発明の一態様に係る機器収納用トレイは、少なくとも平板状の底板を有するトレイ部と、
前記トレイ部を収容可能なベースに対して前後にスライド可能に取り付けられるスライド部材と、
前記スライド部材の前側端部と前記トレイ部の後方部とを上下方向に揺動可能に接続する接続部材と、を備え、
前記トレイ部は、後方部の前記接続部材が設けられていない部分に前記後方部から立設されたトレイ部側突起部を有し、
前記スライド部材は、前記トレイ部側突起部と対向する位置の前側端部から立設されたスライド部材側突起部を有し、
前記トレイ部の底板と前記スライド部材とを同一平面上に載置した場合に、前記スライド部材側突起部は、前記トレイ部側突起部に対して前方に傾斜しており、
前記トレイ部が前記スライド部材に対して前方が下がるように揺動して、前記トレイ部側突起部が前記スライド部材側突起部に接触することによって、前記トレイ部は、前方が下がるように傾斜した状態に保持される。
【０００７】
本発明の一態様に係る収納ユニットは、上記機器収納用トレイと、
前記機器収納用トレイを収容可能なベースと、
を備え、
前記ベースに対して、前記機器収納用トレイの前記スライド部材が前後にスライド可能に取り付けられている。
【発明の効果】
【０００８】
本発明によれば、比較的簡易な構成により前方が下がるようにトレイが傾斜した状態を保持することができ、そのための部品点数も少なくて済む。
【図面の簡単な説明】
【０００９】
【図１】本実施形態に係る収納ユニットの斜視図である。
【図２】本実施形態に係る機器収納用トレイの斜視図である。
【図３】トレイ部側突起部の空間部とこれに挿通するスライド部材側突起部の一例を説明する模式図である。
【図４】トレイ部側突起部の空間部が一部を切り欠いて形成したものである一例を説明する模式図である。
【図５】トレイ部側突起部の空間部が一部を切り欠いて形成したものである他の一例を説明する模式図である。
【図６】機器収納用トレイの側面図である。
【図７】機器収納用トレイが途中まで引き出された状態を示す斜視図である。
【図８】機器収納用トレイが最前部まで引き出された状態を示す斜視図である。
【図９】トレイ部が傾斜してスライド部材側突起部とトレイ部側突起部とが当接した状態を示す側面図である。
【発明を実施するための形態】
【００１０】
［本発明の実施形態の説明］
最初に本発明の実施形態を列記して説明する。
本発明の実施形態に係る機器収納用トレイは、
（１）少なくとも平板状の底板を有するトレイ部と、
前記トレイ部を収容可能なベースに対して前後にスライド可能に取り付けられるスライド部材と、
前記スライド部材の前側端部と前記トレイ部の後方部とを上下方向に揺動可能に接続する接続部材と、を備え、
前記トレイ部は、後方部の前記接続部材が設けられていない部分に前記後方部から立設されたトレイ部側突起部を有し、
前記スライド部材は、前記トレイ部側突起部と対向する位置の前側端部から立設されたスライド部材側突起部を有し、
前記トレイ部の底板と前記スライド部材とを同一平面上に載置した場合に、前記スライド部材側突起部は、前記トレイ部側突起部に対して前方に傾斜しており、
前記トレイ部が前記スライド部材に対して前方が下がるように揺動して、前記トレイ部側突起部が前記スライド部材側突起部に接触することによって、前記トレイ部は、前方が下がるように傾斜した状態に保持される。
上記構成により、トレイ部をベースから引出し、トレイ部が所定の角度で前方が下がるように傾斜したときにトレイ部側突起部がスライド部材側突起部に接触して係止され、トレイ部が傾斜した状態を保持することができる。例えばトレイの左右側部にスライドレールを設け、このスライドレールに上下方向への揺動機構および該揺動機構を固定して保持する機構を設けた場合に比べて、簡易な構成により上記傾斜した状態を保持することができ、そのための部品点数も少なくて済む。
【００１１】
（２）前記スライド部材は平板状であって、
前記接続部材は、前記スライド部材の前側端部と前記トレイ部の後側端部とを接続するようにしてもよい。
これにより、更に簡易な構造とすることができる。
【００１２】
（３）前記トレイ部は、前記スライド部材側突起部または前記トレイ部側突起部の少なくともいずれか一方に空間部が設けられ、
前記空間部に他方が挿通され、
前記スライド部材側突起部は、前記トレイ部側突起部の前側に位置してもよい。
スライド部材側突起部またはトレイ部側突起部の少なくともいずれか一方に空間部が設けられ、前記空間部に他方を挿通することにより、スライド部材側突起部がトレイ部側突起部の前側に位置するので、トレイ部が所定の角度で前方が下がるように傾斜するとスライド部材側突起部の後側の面とトレイ部側突起部の前側の面とが接触して係止され、トレイ部が傾斜した状態を保持することができる。
【００１３】
（４）前記トレイ部側突起部は、先端側に前記トレイ部の前側へ向かって屈曲した折り返し部を有してもよい。
トレイ部側突起部の折り返し部を設けることにより、この折り返し部の上に、例えばトレイ部の上側を覆う蓋部の端部を接触させることにより、前記蓋部を取り付けやすくできる。
【００１４】
（５）前記折り返し部は、前記トレイ部の上側を覆う蓋部に設けられた突起を差し込み可能なスリットを有してもよい。
トレイ部の上側を覆う蓋部に設けられた突起を折り返し部のスリットに差し込むことで、蓋部がずれないように固定することができる。
【００１５】
本発明の実施形態に係る収納ユニットは、
（６）上記（１）から（５）のいずれか一に記載の機器収納用トレイと、
前記機器収納用トレイを収容可能なベースと、
を備え、
前記ベースに対して、前記機器収納用トレイの前記スライド部材が前後にスライド可能に取り付けられている。
収納ユニットにおいて、トレイ部をベースから引出し、トレイ部が所定の角度で前方が下がるように傾斜したときにトレイ部側突起部がスライド部材側突起部に接触して係止され、トレイ部が傾斜した状態を保持することができる。例えばトレイの左右側部にスライドレールを設け、このスライドレールに上下方向への揺動機構および揺動機構を固定して保持する機構を設けた場合に比べて、簡易な構成により上記傾斜した状態を保持することができ、そのための部品点数も少なくて済む。
【００１６】
［本発明の実施形態の詳細］
本発明の実施形態に係る機器収納用トレイおよび収納ユニットの具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１７】
図１は、本実施形態に係る収納ユニットの斜視図を示す。図１に示すように、収納ユニット１００は、機器収納用トレイ１と、機器収納用トレイ１を収容可能なベース１０と、を備えている。機器収納用トレイ１は、ベース１０に対して前後方向へスライド可能に取り付けられており、ベース１０から引き出したり（後述の図７、図８参照）、ベース１０に収納したりすることができるように構成されている。図１には、機器収納用トレイ１がベース１０内に収納されている状態の収納ユニット１００が示されている。収納ユニット１００は、例えばラック（図示省略）等に収容される。
【００１８】
機器収納用トレイ１には、例えば成端処理されたケーブル同士の接続部（コネクタ、アダプタ等）や、ケーブル同士の融着接続部等が収納される。機器収納用トレイ１は、これらケーブルおよび接続部の接続中継用のボックスなどに用いられる。
【００１９】
ベース１０は、平板状の底板１１と、底板１１の左右両側端部に立設される側板１２と、を有している。底板１１には、機器収納用トレイ１のスライドを案内する２本の長孔１３，１３が並列して形成されている。側板１２には、ベース１０をラックに固定するための取付部１４が設けられている。
【００２０】
図２は、図１に示す収納ユニット１００の機器収納用トレイ１をベース１０から取り外した状態を示す図である。図２に示すように、機器収納用トレイ１は、トレイ部２と、トレイ部２の後側に配置される平板状のスライド部材３と、トレイ部２とスライド部材３とを接続する２つの接続部材４，４と、を備えている。
【００２１】
トレイ部２は、平板状の底板２１と、底板２１の後側端部に立設されるトレイ部側突起部２２と、底板２１の左右両側端部に立設される側板２３と、底板２１の前側端部に立設される前板２４と、を有している。
【００２２】
トレイ部側突起部２２は、底板２１の後方部（後側端部）における接続部材４が設けられていない部分、例えば、２つの接続部材４，４の間に設けられている。トレイ部側突起部２２は、例えば、平板状に形成されており、その板面が機器収納用トレイ１の前後を向くように構成されている。トレイ部側突起部２２の下端部には、空間部２５ａが形成されている。また、底板２１の後端部には、上記トレイ部側突起部２２の空間部２５ａと連続するように空間部２５ｂが形成されている。
【００２３】
また、トレイ部側突起部２２の先端側（上側）には、トレイ部２の前側へ向かって屈曲される折り返し部２６が設けられている。折り返し部２６は、平板状に形成されており、底板２１と平行するように設けられている。折り返し部２６の上面の位置は、前板２４の上端の位置と例えば同じ高さとなるように構成されている。折り返し部２６には、スリット２７が形成されている。
【００２４】
スライド部材３は、前側端部にスライド部材側突起部３１を有している。スライド部材側突起部３１は、スライド部材３の前側端部における上記トレイ部２のトレイ部側突起部２２と対向する位置に立設されている。例えば、スライド部材３の前側端部にはスライド部材３の前端から前側へ向かって僅かに伸びる延伸部が設けられており、スライド部材側突起部３１は、その延伸部の先端部に立設されている。スライド部材側突起部３１は、例えば、平板状に形成されており、その板面が機器収納用トレイ１の前後を向くように構成されている。
なお、トレイ部側突起部２２、スライド部材３は、共に平板状のものに限られない。
【００２５】
接続部材４は、例えば、ヒンジで構成されており、トレイ部２の後側端部とスライド部材３の前側端部とを接続する。トレイ部２とスライド部材３とは接続部材４を介して互いに上下方向に揺動可能に接続されている。
【００２６】
また、トレイ部２とスライド部材３とは、スライド部材３のスライド部材側突起部３１がトレイ部２の空間部２５ａ，２５ｂに挿通された状態で接続されている。これにより、トレイ部２とスライド部材３とが接続された状態では、スライド部材３のスライド部材側突起部３１がトレイ部２のトレイ部側突起部２２よりも前側に位置する構成となる。
【００２７】
上記の例ではトレイ部側突起部２２の一部に穴部（空間部）を形成し、この穴部（空間部）にスライド部材側突起部３１を挿通させたが、スライド部材側突起部３１に空間部を形成し、トレイ部側突起部２２を挿通させるようにしてもよい。
また、この空間部は、上記の穴部のように全周をトレイ部側突起部２２で囲われている場合（図３の模式図参照）だけでなく、トレイ部側突起部２２（またはスライド部材側突起部３１）の一部を切り欠いて形成したもの（例えば、図４の模式図に示すように片側を切り欠いて形成したもの、或いは図５の模式図に示すように両側を切り欠いて形成したものなど）でもよい。
【００２８】
図６は、機器収納用トレイ１の側面図を示す。図６に示すように、機器収納用トレイ１のトレイ部２は、蓋部２８を備える構成としてもよい。蓋部２８は、例えば、矩形状の一部に突起を有するよう（凸字状）に形成されており、底板２１と対向するように配置されてトレイ部２の上側を覆う。蓋部２８は、トレイ内部に落とし込まれるようにトレイ内部に配置される。蓋部２８の後端部は、折り返し部２６下に配置される。
【００２９】
図６に示す例では、蓋部２８の後端中央部に、後端側へ突出する突起２８ａが設けられている。蓋部２８をトレイ部２内部に落とし込むように配置するとき、突起２８ａが折り返し部２６のスリット２７に下方から差し込まれ、蓋部２８がトレイ部２と係合するように構成されている。
【００３０】
図２および図６に示すように、トレイ部２の底板２１とスライド部材３とを同一平面上に載置した場合（この場合はトレイ部２の底板２１の板面とスライド部材３の平板の板面とが平行に配置されている場合と同じである）、スライド部材側突起部３１は、トレイ部側突起部２２に対して前方に傾斜するように構成されている。トレイ部側突起部２２の前面２２ｆとスライド部材側突起部３１の後面３１ｂとで構成される角度θは、９０度以下（鋭角）となるように構成されている。例えば角度θは、３０度〜４５度である。
【００３１】
なお、図２、図６においては、トレイ部側突起部２２は底板２１に垂直になるように構成されているが、これに限られるものではない。スライド部材側突起部３１がスライド部材３の板面に対して垂直をなすように構成され、トレイ部側突起部２２がスライド部材側突起部３１に対して後方に傾斜するように構成されていてもよい。更には、トレイ部側突起部２２、スライド部材側突起部３１共に、それぞれ底板２１、スライド部材３の板面と垂直ではないように構成されていてもよい。トレイ部側突起部２２とスライド部材側突起部３１との相対位置関係として、トレイ部側突起部２２を基準として、トレイ部側突起部２２に対してスライド部材側突起部３１が前方に向かって傾斜するように構成されていればよい。
【００３２】
次に、図７から図９に基づいて、収納ユニット１００および機器収納用トレイ１の動作について説明する。
【００３３】
ベース１０に機器収納用トレイ１が収納されている図１の状態から、機器収納用トレイ１の前板２４に設けられているつまみ部２４ａを持って機器収納用トレイ１を引き出す。図７は、機器収納用トレイ１が収納ユニット１００から半分程度引き出された状態を示す図である。
【００３４】
図７に示すように、機器収納用トレイ１は、スライド部材３が左右２つのネジ３２を介してトレイ部２に取り付けられている。例えば、トレイ部２の底板１１を上下から挟むように２枚の平板状のスライド部材３が設けられ、この２枚のスライド部材３がネジ３２によってネジ止めされている。このネジ３２は、底板１１の長孔１３に挿通されており、長孔１３に沿って移動可能に設けられている。ネジ３２が長孔１３に沿って移動することでスライド部材３がベース１０に対して前方向へスライドされ、機器収納用トレイ１が引き出される。なお、スライド部材３は平板状でなくともよく、角柱状、円柱状など、トレイ部２の底板１１上をスライド可能な形状であればよい。
また、スライド部材３をベース１０に対してスライドすることが可能であれば、スライド部材３をトレイ部２に取り付ける方法は、上記２枚のスライド部材３で挟む構成に限定されない。
【００３５】
機器収納用トレイ１をさらに引き出し、図８に示すように、機器収納用トレイ１がベース１０の最前部まで引き出されると、機器収納用トレイ１のトレイ部２がベース１０の前端よりも前側まで引き出される。その結果、トレイ部２は、接続部材４を介し、トレイ部２の自重によりスライド部材３に対して前方が下がるように揺動して前傾姿勢となっていく。
【００３６】
トレイ部２がスライド部材３に対して前方が下がるように揺動すると、トレイ部側突起部２２がスライド部材側突起部３１に向かって近づき、トレイ部側突起部２２の前面２２ｆとスライド部材側突起部３１の後面３１ｂとで構成される角度θ（図６参照）が小さくなる。
【００３７】
その結果、図９に示すように、スライド部材側突起部３１の後面３１ｂにトレイ部側突起部２２の前面２２ｆが当接して係止される。これにより、トレイ部２は、水平状態から角度θだけ前方が下がるように傾斜した状態に保持される。
【００３８】
機器収納用トレイ１をベース１０に収納する際には、上記操作と逆の操作を行えばよい。すなわち、傾斜している機器収納用トレイ１を水平状態となるまで持ち上げた後、ベース１０内に向けて機器収納用トレイ１を後方へ押し込めばよい。
【００３９】
以上のような構成の機器収納用トレイ１および収納ユニット１００によれば、トレイ部２をベース１０から引出し、トレイ部２が所定の角度θで前方が下がるように傾斜したときにトレイ部側突起部２２がスライド部材側突起部３１に当接して、トレイ部２の傾斜した状態が保持される。このため、例えば、トレイの左右側部にスライドレールを設け、このスライドレールに上下方向への揺動機構や揺動機構を保持する機構等を設ける場合（例えば、先行文献１参照）に比べ、簡易な構成により上記傾斜した状態を保持することができる。よって、それを構成するために必要となる部品点数も少なくすることができる。
【００４０】
また、スライド部材側突起部３１の後面３１ｂとトレイ部側突起部２２の前面２２ｆとを当接させることにより、トレイ部２が前方へ傾斜した状態を確実に保持することができる。このため、機器収納用トレイ１内への機器、ケーブル等の収納やメンテナンスなどの作業がし易い。
【００４１】
また、トレイ部側突起部２２に平板状の折り返し部２６を設け、この折り返し部２６の下に、トレイ部２の上側を覆う蓋部２８の端部を配置させることができる。このため、蓋部２８をトレイ部２に容易に取り付けることができる。さらに、蓋部２８に設けられた突起２８ａを折り返し部２６のスリット２７に差し込むことで、蓋部２８をトレイ部２に係合させることができる。このため、蓋部２８をトレイ部２上からずれないように固定することができ、収納されている機器、ケーブル等のトレイ部２外への飛び出しを防止することができる。
【００４２】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００４３】
１：機器収納用トレイ
２：トレイ部
３：スライド部材
４：接続部材
１０：ベース
１３：長孔
２１：底板
２２：トレイ部側突起部
２３：側板
２４：前板
２４ａ：つまみ部
２５ａ，２５ｂ：空間部
２６：折り返し部
２７：スリット
２８：蓋部
２８ａ：突起
３１：スライド部材側突起部
３１ｂ：後面
３２：ネジ
１００：収納ユニット
【図１】
2019087610.tif 000003
【図２】
2019087610.tif 000004
【図３】
2019087610.tif 000005
【図４】
2019087610.tif 000006
【図５】
2019087610.tif 000007
【図６】
2019087610.tif 000008
【図７】
2019087610.tif 000009
【図８】
2019087610.tif 000010
【図９】
2019087610.tif 000011